(57)【要約】【課題】ファイルシステムにおける、端末装置へのレスポンスの遅延を抑制しつつ、データの保全性の確保を図り得る、データ管理装置、ファイルシステム、データ管理方法、及びプログラムを提供する。【解決手段】データ管理装置１０は、３台以上のファイルサーバを備えるファイルシステムにおいて、データを管理するための装置であり、ファイルサーバのいずれかにおいて、当該ファイルサーバに備えられたメモリにデータが書き込まれた場合に、そのことを検知する、データ検知部１１と、書き込みが検知されたデータに対して、ストライピングを実行して、ファイルサーバの台数に応じて、３つ以上のブロックを生成する、ストライピング処理部１２と、ブロックを、ファイルサーバそれぞれのメモリに分散して格納させる、分散処理部１３とを備えている。【選択図】図１
2019159416.tif 000002
【特許請求の範囲】
【請求項１】
３台以上のファイルサーバを備えるファイルシステムにおいて、データを管理するための装置であって、
前記ファイルサーバのいずれかにおいて、当該ファイルサーバに備えられたメモリにデータが書き込まれた場合に、そのことを検知する、データ検知部と、
書き込みが検知された前記データに対して、ストライピングを実行して、前記ファイルサーバの台数に応じて、３つ以上のブロックを生成する、ストライピング処理部と、
生成された前記ブロックを、前記ファイルサーバそれぞれの前記メモリに分散して格納させる、分散処理部と、
を備えている、
ことを特徴とするデータ管理装置。
【請求項２】
請求項１に記載のデータ管理装置であって、
前記ストライピング処理部は、前記データを分割して２以上の第１のブロックを生成し、更に、前記第１のブロックを用いて、パリティデータによる２以上の第２のブロックを生成し、
前記分散処理部が、前記ファイルサーバそれぞれの前記メモリに、いずれかの前記第１のブロックと、いずれかの前記第２のブロックとを格納させる、
ことを特徴とするデータ管理装置。
【請求項３】
請求項１または２に記載のデータ管理装置であって、
前記ファイルサーバに備えられたメモリが、不揮発性メモリである、
ことを特徴とするデータ管理装置。
【請求項４】
請求項１〜３のいずれかに記載のデータ管理装置であって、
当該データ管理装置が、いずれかの前記ファイルサーバによって、または前記ファイルサーバそれぞれ毎に当該ファイルサーバによって、構築されている、
ことを特徴とするデータ管理装置。
【請求項５】
３台以上のファイルサーバと、データ管理装置とを備え、
前記データ管理装置は、
前記ファイルサーバのいずれかにおいて、当該ファイルサーバに備えられたメモリにデータが書き込まれた場合に、そのことを検知する、データ検知部と、
書き込みが検知された前記データに対して、ストライピングを実行して、前記ファイルサーバの台数に応じて、３つ以上のブロックを生成する、ストライピング処理部と、
生成された前記ブロックを、前記ファイルサーバそれぞれの前記メモリに分散して格納させる、分散処理部と、
を備えている、
ことを特徴とするファイルシステム。
【請求項６】
請求項５に記載のファイルシステムであって、
前記ストライピング処理部は、前記データを分割して２以上の第１のブロックを生成し、更に、前記第１のブロックを用いて、パリティデータによる２以上の第２のブロックを生成し、
前記分散処理部が、前記ファイルサーバそれぞれの前記メモリに、いずれかの前記第１のブロックと、いずれかの前記第２のブロックとを格納させる、
ことを特徴とするファイルシステム。
【請求項７】
請求項５または６に記載のファイルシステムであって、
前記ファイルサーバに備えられたメモリが、不揮発性メモリである、
ことを特徴とするファイルシステム。
【請求項８】
請求項５〜７のいずれかに記載のファイルシステムであって、
前記データ管理装置は、いずれかの前記ファイルサーバによって、または前記ファイルサーバそれぞれ毎に当該ファイルサーバによって、構築されている、
ことを特徴とするファイルシステム。
【請求項９】
３台以上のファイルサーバを備えるファイルシステムにおいて、データを管理するための方法であって、
（ａ）前記ファイルサーバのいずれかにおいて、当該ファイルサーバに備えられたメモリにデータが書き込まれた場合に、そのことを検知する、ステップと、
（ｂ）書き込みが検知された前記データに対して、ストライピングを実行して、前記ファイルサーバの台数に応じて、３つ以上のブロックを生成する、ステップと、
（ｃ）生成された前記ブロックを、前記ファイルサーバそれぞれの前記メモリに分散して格納させる、ステップと、
を有する、
ことを特徴とするデータ管理方法。
【請求項１０】
請求項９に記載のデータ管理方法であって、
前記（ｂ）のステップにおいて、前記データを分割して２以上の第１のブロックを生成し、更に、前記第１のブロックを用いて、パリティデータによる２以上の第２のブロックを生成し、
前記（ｃ）のステップにおいて、前記ファイルサーバそれぞれの前記メモリに、いずれかの前記第１のブロックと、いずれかの前記第２のブロックとを格納させる、
ことを特徴とするデータ管理方法。
【請求項１１】
請求項９または１０に記載のデータ管理方法であって、
前記ファイルサーバに備えられたメモリが、不揮発性メモリである、
ことを特徴とするデータ管理方法。
【請求項１２】
３台以上のファイルサーバを備えるファイルシステムにおいて、コンピュータによって、データを管理するためのプログラムであって、
前記コンピュータに、
（ａ）前記ファイルサーバのいずれかにおいて、当該ファイルサーバに備えられたメモリにデータが書き込まれた場合に、そのことを検知する、ステップと、
（ｂ）書き込みが検知された前記データに対して、ストライピングを実行して、前記ファイルサーバの台数に応じて、３つ以上のブロックを生成する、ステップと、
（ｃ）生成された前記ブロックを、前記ファイルサーバそれぞれの前記メモリに分散して格納させる、ステップと、
を実行させる、
ことを特徴とするプログラム。
【請求項１３】
請求項１２に記載のプログラムであって、
前記（ｂ）のステップにおいて、前記データを分割して２以上の第１のブロックを生成し、更に、前記第１のブロックを用いて、パリティデータによる２以上の第２のブロックを生成し、
前記（ｃ）のステップにおいて、前記ファイルサーバそれぞれの前記メモリに、いずれかの前記第１のブロックと、いずれかの前記第２のブロックとを格納させる、
ことを特徴とするプログラム。
【請求項１４】
請求項１２または１３に記載のプログラムであって、
前記ファイルサーバに備えられたメモリが、不揮発性メモリである、
ことを特徴とするプログラム。
【発明の詳細な説明】
【技術分野】
【０００１】
本発明は、ファイルシステムで扱われるデータの管理を行うための、データ管理装置、それを用いたファイルシステム、及びデータ管理方法に関し、更には、これらを実現するためのプログラムに関する。
【背景技術】
【０００２】
近年、コンピュータネットワークの発展により、企業等においては、複数の端末装置によるファイルの共有を可能にするファイルサーバが利用されている。ファイルサーバの１つとして、例えば、ネットワークアタッチストレージ（Network Attached Storage：以下「ＮＡＳ」と表記する）が知られている（例えば、特許文献１参照）。
【０００３】
一般に、ＮＡＳは、ＮＦＳ（Network File System）等のファイルシステムを備えており、ユーザは、端末装置を介して、ＮＡＳに格納されているデータを、それがネットワーク上にあることを意識することなく、利用することができる。
【０００４】
また、通常、ＮＡＳは、ファイバーチャネルを介して１又は２以上のストレージ装置に接続される。更に、ストレージ装置は、複数台のＮＡＳによって共用される。加えて、ＮＡＳには、停電時にストレージ装置への書き込みが完了していないデータを保持するため、不揮発性メモリ（ＮＶＲＡＭ：Non-Volatile Random Access Memory）も備えられている（例えば、特許文献２参照）。
【０００５】
ところで、ＮＡＳは、通常、端末装置からデータの書き込み要求が発行されると、要求されたデータをストレージ装置に書き込み、その後、書き込みの完了を端末装置に通知する。このため、書き込み要求が発行されてから、書き込みの完了が通知されるまでの時間が長く、端末装置に対するレスポンスが遅いという問題がある。
【０００６】
このような問題を解消するため、ＮＡＳでは、ＮＶＲＡＭに、データを書き込んだ時点で、端末装置に書き込みの完了を行うことも行われている。但し、この場合は、ＮＡＳが障害によって停止してしまうと、ストレージ装置に書き込む前に、ＮＶＲＡＭのデータが失われてしまう。
【０００７】
このため、複数のＮＡＳを用い、各ＮＡＳが、隣接する１つのＮＡＳのＮＶＲＡＭにも、同じデータを書き込むようにする、ファイルシステムが提案されている。このファイルシステムでは、データの書き込み元のＮＡＳが停止すると、データの書き込み先のＮＡＳが、データをストレージ装置に書き込むので、データの安全性の担保が図られる。
【先行技術文献】
【特許文献】
【０００８】
【特許文献１】特開２０１７−１３００１０号公報
【特許文献２】特開２０１０−０２６６７７号公報
【発明の概要】
【発明が解決しようとする課題】
【０００９】
しかしながら、上記のファイルシステムでは、データの書き込み先（フェイルオーバー先）となるＮＡＳは１つであるため、データの書き込み元のＮＡＳが停止した際に、データの書き込み先のＮＡＳも停止してしまった場合に、データの安全性の担保が困難となる。
【００１０】
また、上記のファイルシステムでは、データの書き込み元のＮＡＳが停止してしまった場合、ＮＶＲＡＭへの書き込みが完了した時点で、データの保全性を確保しつつ、端末装置に対して、書き込みの完了を通知できるＮＡＳは存在していない。更に、データ保全性を確保するためには、データのディスクへの書き込み完了が必要となる。この結果、このような場合、端末装置に対するレスポンスが遅延してしまう。
【００１１】
これは、データの保全性を確保するためには、書き込み完了を端末装置に返却する前に、ディスクにデータが書き込まれる事を保証する必要があるからである。この点について、以下により詳細に説明する。
【００１２】
まず、書き込み元のＮＡＳがダウンしても、ＮＶＲＡＭにデータを書き込んだ時点で、端末装置に書き込み完了を返却するためには、同じデータをディスクに書き込むための手段が確保されている必要がある。そして、通常の冗長構成を有するシステムでは、フェイルオーバー先となるＮＡＳは、ＮＶＲＡＭに同じデータを書き込んでおくという動作を行っていることから、上記手段は確保されているとも考えられる。
【００１３】
しかしながら、冗長構成を有するシステムでは、一方のＮＡＳがダウンしてしまうと、データ保全の視点から、もう一方のＮＡＳが、ＮＶＲＡＭにデータを書き込んだ時点で、端末装置に、書き込み完了の通知を返却することはできないようになっている。このため、上述したように、端末装置に対するレスポンスが遅延する。
【００１４】
本発明の目的の一例は、上記問題を解消し、ファイルシステムにおける、端末装置へのレスポンスの遅延を抑制しつつ、データの保全性の確保を図り得る、データ管理装置、ファイルシステム、データ管理方法、及びプログラムを提供することにある。
【課題を解決するための手段】
【００１５】
上記目的を達成するため、本発明の一側面におけるデータ管理装置は、３台以上のファイルサーバを備えるファイルシステムにおいて、データを管理するための装置であって、
前記ファイルサーバのいずれかにおいて、当該ファイルサーバに備えられたメモリにデータが書き込まれた場合に、そのことを検知する、データ検知部と、
書き込みが検知された前記データに対して、ストライピングを実行して、前記ファイルサーバの台数に応じて、３つ以上のブロックを生成する、ストライピング処理部と、
生成された前記ブロックを、前記ファイルサーバそれぞれの前記メモリに分散して格納させる、分散処理部と、
を備えている、
ことを特徴とする。
【００１６】
上記目的を達成するため、本発明の一側面におけるファイルシステムは、３台以上のファイルサーバと、データ管理装置とを備え、
前記データ管理装置は、
前記ファイルサーバのいずれかにおいて、当該ファイルサーバに備えられたメモリにデータが書き込まれた場合に、そのことを検知する、データ検知部と、
書き込みが検知された前記データに対して、ストライピングを実行して、前記ファイルサーバの台数に応じて、３つ以上のブロックを生成する、ストライピング処理部と、
生成された前記ブロックを、前記ファイルサーバそれぞれの前記メモリに分散して格納させる、分散処理部と、
を備えている、
ことを特徴とする。
【００１７】
また、上記目的を達成するため、本発明の一側面におけるデータ管理方法は、３台以上のファイルサーバを備えるファイルシステムにおいて、データを管理するための方法であって、
（ａ）前記ファイルサーバのいずれかにおいて、当該ファイルサーバに備えられたメモリにデータが書き込まれた場合に、そのことを検知する、ステップと、
（ｂ）書き込みが検知された前記データに対して、ストライピングを実行して、前記ファイルサーバの台数に応じて、３つ以上のブロックを生成する、ステップと、
（ｃ）生成された前記ブロックを、前記ファイルサーバそれぞれの前記メモリに分散して格納させる、ステップと、
を有する、
ことを特徴とする。
【００１８】
更に、上記目的を達成するため、本発明の一側面におけるプログラムは、３台以上のファイルサーバを備えるファイルシステムにおいて、コンピュータによって、データを管理するためのプログラムであって、
前記コンピュータに、
（ａ）前記ファイルサーバのいずれかにおいて、当該ファイルサーバに備えられたメモリにデータが書き込まれた場合に、そのことを検知する、ステップと、
（ｂ）書き込みが検知された前記データに対して、ストライピングを実行して、前記ファイルサーバの台数に応じて、３つ以上のブロックを生成する、ステップと、
（ｃ）生成された前記ブロックを、前記ファイルサーバそれぞれの前記メモリに分散して格納させる、ステップと、
を実行させる、
ことを特徴とする。
【発明の効果】
【００１９】
以上のように、本発明によれば、ファイルシステムにおける、端末装置へのレスポンスの遅延を抑制しつつ、データの保全性の確保を図ることができる。
【図面の簡単な説明】
【００２０】
【図１】図１は、本発明の実施の形態におけるデータ管理装置の概略構成を示すブロック図である。
【図２】図２は、本発明の実施の形態におけるデータ管理装置の具体的構成を示すブロック図である。
【図３】図３は、本発明の実施の形態におけるデータ管理装置においてストライピング処理部及び分散処理部が実行する処理の具体例を示す図である。
【図４】図４は、本発明の実施の形態におけるデータ管理装置１０の動作を示すフロー図である。
【図５】図５は、本発明の実施の形態におけるデータ管理装置を実現するコンピュータの一例を示すブロック図である。
【発明を実施するための形態】
【００２１】
（実施の形態）
以下、本発明の実施の形態における、ファイルシステム、データ管理装置、データ管理方法、及びプログラムについて、図１〜図５を参照しながら説明する。
【００２２】
［装置構成］
最初に、本実施の形態におけるデータ管理装置の概略構成について図１を用いて説明する。図１は、本発明の実施の形態におけるデータ管理装置の概略構成を示すブロック図である。
【００２３】
図１に示す、本実施の形態におけるデータ管理装置１０は、３台以上のファイルサーバを備えるファイルシステムにおいて、データを管理するための装置である。図１に示すように、データ管理装置１０は、データ検知部１１と、ストライピング処理部１２と、分散処理部１３とを備えている。
【００２４】
データ検知部１１は、ファイルサーバのいずれかにおいて、このファイルサーバに備えられたメモリにデータが書き込まれた場合に、そのことを検知する。ストライピング処理部１２は、書き込みが検知されたデータに対して、ストライピングを実行して、ファイルサーバの台数に応じて、３つ以上のブロックを生成する。分散処理部１３は、生成されたブロックを、ファイルサーバそれぞれのメモリに分散して格納させる。
【００２５】
このように、本実施の形態では、特定のファイルサーバのメモリにデータが書き込まれると、このデータは、そのメモリと他のファイルサーバのメモリとに分散して格納される。また、ファイルシステムを構成するファイルサーバは３台以上存在している。つまり、本実施の形態では、ファイルシステムを構成するファイルサーバの各メモリは、ＲＡＩＤのように機能する。
【００２６】
このため、データの書き込み元のファイルサーバ（ＮＡＳ）が停止してしまった場合でも、一定数のファイルサーバが稼働していれば、データを復元することができるので、データの保全性の確保が図られる。また、データの保全性の確保が図られ、このような場合でも、データがディスクに書き込まれる事が保証されるので、データのディスクへの書き込みの前に、データの書き込みを依頼した端末装置に対してレスポンスを返却することができる。この結果、端末装置へのレスポンスの遅延も抑制される。
【００２７】
続いて、図２を用いて、本実施の形態におけるファイルシステムとデータ管理装置１０との構成をより詳細に説明する。図２は、本発明の実施の形態におけるデータ管理装置の具体的構成を示すブロック図である。
【００２８】
図２に示すように、本実施の形態では、ファイルシステム１００は、５台のファイルサーバ２０を備えている。各ファイルサーバ２０は、それぞれ、ＮＡＳであり、互いにネットワーク３０を介してデータ通信可能に接続されている。また、各ファイルサーバ２０の構成は同一であり、それぞれ、メモリ２２を備えている。メモリ２２は、具体的には、不揮発性メモリ（ＮＶＲＡＭ）である。
【００２９】
また、本実施の形態では、データ管理装置１０は、ファイルサーバ２０毎に、そのオペレーティングシステム（ＯＳ：Operating System）２１によって、後述するプログラムによって構築されている。なお、図２においては、１つのファイルサーバ２０に構築されているデータ管理装置１０の構成のみが図示されており、他のファイルサーバ２０に構築されているデータ管理装置１０の構成は省略されている。
【００３０】
また、この構成により、本実施の形態では、各データ管理装置１０のデータ検知部１１は、それを備えるデータ管理装置１０を構築しているファイルサーバ２０のメモリ２２を、検知対象として、データの書き込みを検知する。また、ストライピング処理部１２は、それを備えるデータ管理装置１０において、データ検知部１１がデータの書き込みを検知すると、書き込みが検知されたデータに対してストライピングを実行する。
【００３１】
更に、本実施の形態では、ストライピング処理部１２及び分散処理部１３は、ＲＡＩＤ２〜６に定義されている記録方式に準拠して、データのストライピング及び分散を行うことができる。この場合、１台のファイルサーバ２０が停止しても、２台以上のファイルサ
ーバそれぞれがデータを復元することができるので、データの保全性が確保される。そして、この結果、データのディスクへの書き込みが完了する前に、ファイルシステム１００にアクセスしてきた端末装置に対して、レスポンスを返却できる。
【００３２】
また、ストライピング処理部１２及び分散処理部１３が、ＲＡＩＤ６に定義されている記録方式を採用したとする。この場合は、２台のファイルサーバが停止したとしても、データを復元でき、更に、データのディスクへの書き込みが完了する前に、ファイルシステム１００にアクセスしてきた端末装置に対して、レスポンスを返却できる。
【００３３】
ここで、図３を用いて、ストライピング処理部１２及び分散処理部１３の機能についてより詳細に説明する。図３は、本発明の実施の形態におけるデータ管理装置においてストライピング処理部及び分散処理部が実行する処理の具体例を示す図である。
【００３４】
図３の例では、ストライピング処理部１２及び分散処理部１３は、ＲＡＩＤ５に定義されている記録方式に準拠して、データのストライピング及び分散を行っている。また、図３の例では、ファイルサーバ２０の台数は５台であるとする。
【００３５】
具体的には、図３に示すように、データの書き込みが検知されると、ストライピング処理部１２は、データを分割して、ブロックＡ１〜Ａ４、Ｂ１〜Ｂ４、Ｃ１〜Ｃ４、Ｄ１〜Ｄ４、Ｅ１〜Ｅ４を生成する。
【００３６】
また、ストライピング処理部１２は、ブロックＡ１〜Ａ４を用いて、パリティデータによるブロックＰＡを生成する。同様に、ストライピング処理部１２は、ブロックＢ１〜Ｂ４を用いて、パリティデータによるブロックＰＢを生成し、ブロックＣ１〜Ｃ４を用いて、パリティデータによるブロックＰＣを生成し、ブロックＤ１〜Ｄ４を用いて、パリティデータによるブロックＰＤを生成する。
【００３７】
更に、分散処理部１３は、ファイルサーバ２０のメモリ２２それぞれ毎に、データを分割して得られたブロックと、パリティデータによるブロックとを格納させる。図３の例では、分散処理部１３は、メモリ（１）に、ブロックＡ１、Ｂ１、Ｃ１、及びＤ１と、ブロックＰＥとを格納させ、メモリ（２）に、ブロックＡ２、Ｂ２、Ｃ２、及びＥ１と、ブロックＰＤとを格納させ、メモリ（３）に、ブロックＡ３、Ｂ３、Ｄ２、及びＥ２と、ブロックＰＣとを格納させる。また、分散処理部１３は、メモリ（４）に、ブロックＡ４、Ｃ３、Ｄ３及びＥ３と、ブロックＰＢとを格納させ、メモリ（５）に、ブロックＢ４、Ｃ４、Ｄ４、及びＥ４と、ブロックＰＡとを格納させる。
【００３８】
このように、図３の例では、いずれかのファイルサーバ２０のメモリ２２に書き込まれたデータは、５台のファイルサーバ２０の各メモリ２２に、ＲＡＩＤ５に準拠した記録方式に沿って格納される。よって、１台のファイルサーバ２０が停止した場合は、残りのファイルサーバ２０がデータを復元することができ、データの保全性が確保される。そして、データを復元したファイルサーバ２０は、データのディスクへの書き込みが完了する前に、ファイルシステム１００にアクセスしてきた端末装置に対して、レスポンスを返却できる。
【００３９】
［装置動作］
次に、本実施の形態におけるデータ管理装置１０の動作について図４を用いて説明する。図４は、本発明の実施の形態におけるデータ管理装置１０の動作を示すフロー図である。以下の説明においては、適宜図１〜図３を参照する。また、本実施の形態では、データ管理装置１０を動作させることによって、データ管理方法が実施される。よって、本実施の形態におけるデータ管理方法の説明は、以下のデータ管理装置１０の動作説明に代える
。
【００４０】
図４に示すように、最初に、データ検知部１１は、それを備えるデータ管理装置１０を構築しているファイルサーバ２０のメモリ２２を、検知対象として、データの書き込みを検知する（ステップＳ１）。なお、データの書き込みが検知されていない場合は、データ検知部１１は待機状態となる。
【００４１】
次に、ストライピング処理部１２は、ステップＳ１で検知されたデータに対して、ストライピングを実行して、ファイルサーバ２０の台数に応じて、３つ以上のブロックを生成する（ステップＳ２）。具体的には、ステップＳ２では、ストライピング処理部１２は、ＲＡＩＤ２〜６に定義されている記録方式に準拠して、生成したブロックを用いて、パリティデータによるブロックも生成する。
【００４２】
次に、分散処理部１３は、ステップＳ２で生成されたブロックを、ファイルサーバ２０それぞれのメモリ２２に分散して格納させる（ステップＳ３）。具体的には、ステップＳ３では、分散処理部１３は、ステップＳ２で生成されたブロック、及びパリティデータによるブロックを、ＲＡＩＤ２〜６に定義されている記録方式に準拠して、各メモリ２２に格納する。
【００４３】
［実施の形態による効果］
以上のように本実施の形態では、いずれかのファイルサーバ２０のメモリ２２に書き込まれたデータは、ＲＡＩＤ２〜６に定義されている記録方式に準拠して、各ファイルサーバ２０のメモリ２２に分散して格納される。このため、データの書き込み元のファイルサーバ２０が停止してしまった場合でも、他のファイルサーバ２０がデータを復元できるので、データの安全性の確保が図られる。そして、この結果、このような場合であっても、他のファイルサーバ２０は、データのディスクへの書き込みの前に、データの書き込みを依頼した端末装置に対してレスポンスを返却することができ、端末装置へのレスポンスの遅延も抑制される。
【００４４】
また、上述の例は、ファイルサーバ２０毎に、各ファイルサーバ２０に、データ管理装置１０が構築されている態様を示しているが、本実施の形態は、これに限定されるものではない。本実施の形態は、いずれかのファイルサーバ２０のみに、データ管理装置１０が構築されている態様であっても良いし、ファイルサーバ２０とは別のサーバによって、データ管理装置１０が構築されている態様であっても良い。
【００４５】
［プログラム］
本実施の形態におけるプログラムは、コンピュータに、図４に示すステップＳ１〜Ｓ３を実行させるプログラムであれば良い。このプログラムをコンピュータにインストールし、実行することによって、本実施の形態におけるデータ管理装置１０とデータ管理方法とを実現することができる。この場合、コンピュータのプロセッサは、データ検知部１１、ストライピング処理部１２、及び分散処理部１３として機能し、処理を行なう。また、コンピュータとしては、ファイルサーバ２０を構成するコンピュータが挙げられる。
【００４６】
また、本実施の形態におけるプログラムは、複数のコンピュータによって構築されたコンピュータシステムによって実行されても良い。この場合は、例えば、各コンピュータが、それぞれ、データ検知部１１、ストライピング処理部１２、及び分散処理部１３のいずれかとして機能しても良い。
【００４７】
ここで、本実施の形態におけるプログラムを実行することによって、データ管理装置を実現するコンピュータの一例について図５を用いて説明する。図５は、本発明の実施の形
態におけるデータ管理装置を実現するコンピュータの一例を示すブロック図である。なお、図５に示すコンピュータは、図２に示したファイルサーバ２０を構成するコンピュータである。
【００４８】
図５に示すように、コンピュータ１１０は、ＣＰＵ１１１と、メインメモリ１１２と、記憶装置１１３と、入力インターフェイス１１４と、表示コントローラ１１５と、データリーダ／ライタ１１６と、通信インターフェイス１１７とを備える。これらの各部は、バス１２１を介して、互いにデータ通信可能に接続される。なお、コンピュータ１１０は、ＣＰＵ１１１に加えて、又はＣＰＵ１１１に代えて、ＧＰＵ（Graphics Processing Unit）、又はＦＰＧＡ（Field-Programmable Gate Array）を備えていても良い。
【００４９】
ＣＰＵ１１１は、記憶装置１１３に格納された、本実施の形態におけるプログラム（コード）をメインメモリ１１２に展開し、これらを所定順序で実行することにより、各種の演算を実施する。メインメモリ１１２は、典型的には、ＤＲＡＭ（Dynamic Random Access Memory）等の揮発性の記憶装置である。また、本実施の形態におけるプログラムは、コンピュータ読み取り可能な記録媒体１２０に格納された状態で提供される。なお、本実施の形態におけるプログラムは、通信インターフェイス１１７を介して接続されたインターネット上で流通するものであっても良い。
【００５０】
また、記憶装置１１３の具体例としては、ハードディスクドライブの他、フラッシュメモリ等の半導体記憶装置が挙げられる。入力インターフェイス１１４は、ＣＰＵ１１１と、キーボード及びマウスといった入力機器１１８との間のデータ伝送を仲介する。表示コントローラ１１５は、ディスプレイ装置１１９と接続され、ディスプレイ装置１１９での表示を制御する。
【００５１】
データリーダ／ライタ１１６は、ＣＰＵ１１１と記録媒体１２０との間のデータ伝送を仲介し、記録媒体１２０からのプログラムの読み出し、及びコンピュータ１１０における処理結果の記録媒体１２０への書き込みを実行する。通信インターフェイス１１７は、ＣＰＵ１１１と、他のコンピュータとの間のデータ伝送を仲介する。
【００５２】
また、記録媒体１２０の具体例としては、ＣＦ（Compact Flash（登録商標））及びＳＤ（Secure Digital）等の汎用的な半導体記憶デバイス、フレキシブルディスク（Flexible Disk）等の磁気記録媒体、又はＣＤ−ＲＯＭ（Compact Disk Read Only Memory）などの光学記録媒体が挙げられる。
【００５３】
なお、本実施の形態におけるデータ管理装置１０は、プログラムがインストールされたコンピュータではなく、各部に対応したハードウェアを用いることによっても実現可能である。更に、データ管理装置１０は、一部がプログラムで実現され、残りの部分がハードウェアで実現されていてもよい。
【００５４】
上述した実施の形態の一部又は全部は、以下に記載する（付記１）〜（付記１４）によって表現することができるが、以下の記載に限定されるものではない。
【００５５】
（付記１）
３台以上のファイルサーバを備えるファイルシステムにおいて、データを管理するための装置であって、
前記ファイルサーバのいずれかにおいて、当該ファイルサーバに備えられたメモリにデータが書き込まれた場合に、そのことを検知する、データ検知部と、
書き込みが検知された前記データに対して、ストライピングを実行して、前記ファイルサーバの台数に応じて、３つ以上のブロックを生成する、ストライピング処理部と、
生成された前記ブロックを、前記ファイルサーバそれぞれの前記メモリに分散して格納させる、分散処理部と、
を備えている、
ことを特徴とするデータ管理装置。
【００５６】
（付記２）
付記１に記載のデータ管理装置であって、
前記ストライピング処理部は、前記データを分割して２以上の第１のブロックを生成し、更に、前記第１のブロックを用いて、パリティデータによる２以上の第２のブロックを生成し、
前記分散処理部が、前記ファイルサーバそれぞれの前記メモリに、いずれかの前記第１のブロックと、いずれかの前記第２のブロックとを格納させる、
ことを特徴とするデータ管理装置。
【００５７】
（付記３）
付記１または２に記載のデータ管理装置であって、
前記ファイルサーバに備えられたメモリが、不揮発性メモリである、
ことを特徴とするデータ管理装置。
【００５８】
（付記４）
付記１〜３のいずれかに記載のデータ管理装置であって、
当該データ管理装置が、いずれかの前記ファイルサーバによって、または前記ファイルサーバそれぞれ毎に当該ファイルサーバによって、構築されている、
ことを特徴とするデータ管理装置。
【００５９】
（付記５）
３台以上のファイルサーバと、データ管理装置とを備え、
前記データ管理装置は、
前記ファイルサーバのいずれかにおいて、当該ファイルサーバに備えられたメモリにデータが書き込まれた場合に、そのことを検知する、データ検知部と、
書き込みが検知された前記データに対して、ストライピングを実行して、前記ファイルサーバの台数に応じて、３つ以上のブロックを生成する、ストライピング処理部と、
生成された前記ブロックを、前記ファイルサーバそれぞれの前記メモリに分散して格納させる、分散処理部と、
を備えている、
ことを特徴とするファイルシステム。
【００６０】
（付記６）
付記５に記載のファイルシステムであって、
前記ストライピング処理部は、前記データを分割して２以上の第１のブロックを生成し、更に、前記第１のブロックを用いて、パリティデータによる２以上の第２のブロックを生成し、
前記分散処理部が、前記ファイルサーバそれぞれの前記メモリに、いずれかの前記第１のブロックと、いずれかの前記第２のブロックとを格納させる、
ことを特徴とするファイルシステム。
【００６１】
（付記７）
付記５または６に記載のファイルシステムであって、
前記ファイルサーバに備えられたメモリが、不揮発性メモリである、
ことを特徴とするファイルシステム。
【００６２】
（付記８）
付記５〜７のいずれかに記載のファイルシステムであって、
前記データ管理装置は、いずれかの前記ファイルサーバによって、または前記ファイルサーバそれぞれ毎に当該ファイルサーバによって、構築されている、
ことを特徴とするファイルシステム。
【００６３】
（付記９）
３台以上のファイルサーバを備えるファイルシステムにおいて、データを管理するための方法であって、
（ａ）前記ファイルサーバのいずれかにおいて、当該ファイルサーバに備えられたメモリにデータが書き込まれた場合に、そのことを検知する、ステップと、
（ｂ）書き込みが検知された前記データに対して、ストライピングを実行して、前記ファイルサーバの台数に応じて、３つ以上のブロックを生成する、ステップと、
（ｃ）生成された前記ブロックを、前記ファイルサーバそれぞれの前記メモリに分散して格納させる、ステップと、
を有する、
ことを特徴とするデータ管理方法。
【００６４】
（付記１０）
付記９に記載のデータ管理方法であって、
前記（ｂ）のステップにおいて、前記データを分割して２以上の第１のブロックを生成し、更に、前記第１のブロックを用いて、パリティデータによる２以上の第２のブロックを生成し、
前記（ｃ）のステップにおいて、前記ファイルサーバそれぞれの前記メモリに、いずれかの前記第１のブロックと、いずれかの前記第２のブロックとを格納させる、
ことを特徴とするデータ管理方法。
【００６５】
（付記１１）
付記９または１０に記載のデータ管理方法であって、
前記ファイルサーバに備えられたメモリが、不揮発性メモリである、
ことを特徴とするデータ管理方法。
【００６６】
（付記１２）
３台以上のファイルサーバを備えるファイルシステムにおいて、コンピュータによって、データを管理するためのプログラムであって、
前記コンピュータに、
（ａ）前記ファイルサーバのいずれかにおいて、当該ファイルサーバに備えられたメモリにデータが書き込まれた場合に、そのことを検知する、ステップと、
（ｂ）書き込みが検知された前記データに対して、ストライピングを実行して、前記ファイルサーバの台数に応じて、３つ以上のブロックを生成する、ステップと、
（ｃ）生成された前記ブロックを、前記ファイルサーバそれぞれの前記メモリに分散して格納させる、ステップと、
を実行させる、
ことを特徴とするプログラム。
【００６７】
（付記１３）
付記１２に記載のプログラムであって、
前記（ｂ）のステップにおいて、前記データを分割して２以上の第１のブロックを生成し、更に、前記第１のブロックを用いて、パリティデータによる２以上の第２のブロック
を生成し、
前記（ｃ）のステップにおいて、前記ファイルサーバそれぞれの前記メモリに、いずれかの前記第１のブロックと、いずれかの前記第２のブロックとを格納させる、
ことを特徴とするプログラム。
【００６８】
（付記１４）
付記１２または１３に記載のプログラムであって、
前記ファイルサーバに備えられたメモリが、不揮発性メモリである、
ことを特徴とするプログラム。
【産業上の利用可能性】
【００６９】
以上のように、本発明によれば、ファイルシステムにおける、端末装置へのレスポンスの遅延を抑制しつつ、データの保全性の確保を図ることができる。本発明は、特に、複数のファイルサーバ（ＮＡＳ）を備えたファイルシステムに有用である。
【符号の説明】
【００７０】
１０  データ管理装置
１１  データ検知部
１２  ストライピング処理部
１３  分散処理部
２０  ファイルサーバ
２１  オペレーティングシステム
２２  メモリ
３０  ネットワーク
１００  ファイルシステム
１１０  コンピュータ
１１１  ＣＰＵ
１１２  メインメモリ
１１３  記憶装置
１１４  入力インターフェイス
１１５  表示コントローラ
１１６  データリーダ／ライタ
１１７  通信インターフェイス
１１８  入力機器
１１９  ディスプレイ装置
１２０  記録媒体
１２１  バス
【図１】
2019159416.tif 000003
【図２】
2019159416.tif 000004
【図３】
2019159416.tif 000005
【図４】
2019159416.tif 000006
【図５】
2019159416.tif 000007